(57)【要約】【解決手段】容器用のキャップ（１０）は、長手方向軸（Ｘ）とそれに垂直な直径とを有する環状のカラー（１２）を備える。シール（１４）は、カラー内に配置可能なほぼ円筒形のシール部材を協働して形成する２つのシール要素（１６／１８／２０）を備え、シール要素は長手方向軸に平行な面内で互いに接触する。少なくとも１つのシール要素は、そこを通る少なくとも１つの開口（５２／５４／５６）を備える。開口は、医療チューブセットのチューブを受けるように構成され、キャップは、異なる数の開口を容器に設けるために、シール部材の異なる組み合わせで構成されることができる。【選択図】図１
2019512358.tif 000002
【特許請求の範囲】
【請求項１】
長手方向軸とそれに垂直な直径とを有する環状のカラーと、前記カラー内に配置可能なほぼ円筒形のシール部材を協働して形成する２つのシール要素を備えるシールであって、前記シール要素は前記長手方向軸に平行な面内で互いに接触する、シールと、を備え、少なくとも１つのシール要素は、そこを通る少なくとも１つの開口を備える、容器用のキャップ。
【請求項２】
両方のシール要素は、そこを通る少なくとも１つの開口を備える、請求項１に記載のキャップ。
【請求項３】
各シール要素はほぼ半円筒形である、請求項１または２に記載のキャップ。
【請求項４】
前記カラーは、上端および下端を有する側壁と、前記上端にて前記側壁から内側に突出する環状のフランジと、を備える、請求項１から３のいずれかに記載のキャップ。
【請求項５】
容器の対応するネジ山と係合するために、前記カラーの内面にネジ山が形成されている、請求項１から４のいずれかに記載のキャップ。
【請求項６】
各シール要素は、容器のリムを受けるための下面における溝を備える、請求項１から５のいずれかに記載のキャップ。
【請求項７】
前記シール要素は、前記カラーの内面に対してシールを施す、請求項１から６のいずれかに記載のキャップ。
【請求項８】
環状のカラーと、少なくとも３つのシール要素と、を備え、前記シール要素の任意の２つは、前記カラー内に配置可能なシール部材を作成するために組み合わせ可能である、請求項１から７のいずれかに記載の容器用のキャップを形成するためのキット。
【請求項９】
少なくとも１つのシール要素は、そこを通る開口を有さず、少なくとも１つのシール要素は、そこを通る開口を有し、少なくとも１つのシール要素は、そこを通る１より多い開口を有する、請求項８に記載のキット。
【請求項１０】
各シール要素は、２つの開口と、各開口を通ってはめ込まれるチューブと、を備える、請求項１に記載のキャップを備えるチューブセット。
【請求項１１】
第１および第２のチューブは、前記キャップが接続される容器から医療器具に液体を供給するように適合される、請求項１０に記載のチューブセット。
【請求項１２】
第３のチューブは、前記キャップが接続される容器と医療器具との間で気体を通過させるように適合される、請求項１０または１１に記載のチューブセット。
【請求項１３】
第４のチューブは、外部供給源から前記キャップが接続される容器内に気体を供給するように適合される、請求項１０から１２のいずれかに記載のチューブセット。
【発明の詳細な説明】
【技術分野】
【０００１】
本発明は、内視鏡検査などの医療処置において容器およびチューブセットと共に使用するためのキャップに関する。具体的には、本発明は、特定の処置で使用されるチューブセットの形態に適合するように異なる組み合わせで組み立てることができるモジュラシールを有する構成可能なキャップおよびシールシステム、ならびに、キャップを組み込んだチューブセットを提供する。
【背景技術】
【０００２】
内視鏡検査を行う場合、水などの液体の供給およびＣＯ２などの気体の供給を内視鏡に提供することが一般的である。水または他の液体は、内視鏡の遠位端でレンズを洗浄し、観察される部位を洗浄（irrigate）または洗い流してゴミ（デブリ）を洗浄するために使用されてもよい。気体が、検査中に体腔に吹き込むために供給されてもよい。既存の多くのシステムでは、２つの別個の水ボトルが設けられており、１つのボトルがレンズ洗浄用の水を提供し、他のものが洗い流し（flushing）用の水を提供する。それぞれの場合において、水を運ぶためのチューブは、水ボトルに取り付けられたキャップを通過し、その自由端を水面の下に有してもよい。チューブの他端が内視鏡に接続される。送気ガス（insufflation gas）は、第２のチューブを通って１つのボトルに供給されて水の上の空間を満たしてもよい。次に、送気ガスをボトルから内視鏡に取り込むために、第３のチューブを設けてもよい。
【０００３】
したがって、ユーザは必要に応じて交換／補充が可能な２つの水ボトルを用意する必要があり、必要に応じてチューブセットは各ボトルに接続されなければならない。さらに、異なるチューブセットに合うための異なるボトルキャップが必要である。このことは、システムの複雑さを増し、必要なセットアップ時間を長くし、途中でボトルを交換する必要がある場合に処置が遅れるかもしれない。
【発明の概要】
【０００４】
本発明は、長手方向軸とそれに垂直な直径とを有する環状のカラーと、前記カラー内に配置可能なほぼ円筒形のシール部材を協働して形成する２つのシール要素を備えるシールであって、前記シール要素は前記長手方向軸に平行な面内で互いに接触する、シールと、を備え、少なくとも１つのシール要素は、そこを通る少なくとも１つの開口を備える、容器用のキャップを提供する。
【０００５】
このようにして、異なるチューブセットに合うようにシール要素の異なる組合せを使用してキャップを構成することができる。２つの別々のボトルおよびチューブセットの必要性を避けるために、内視鏡検査の処置に必要なすべての要求に対して水および気体を提供する単一の水ボトルとともにキャップを使用することも可能である。
【０００６】
一実施形態では、両方のシール要素は、そこを貫通する少なくとも１つの開口を含む。
【０００７】
好ましくは、各シール要素は概ね半円筒形である。
【０００８】
カラーは、上端および下端を有する側壁と、上端にて側壁から内側に突出する環状のフランジとを備えてもよい。ネジ山は、容器の対応するネジ山と係合するようにカラーの内面に形成されてもよい。
【０００９】
各シール要素は、容器のリムを受け入れるための下面における溝（リセス）を備えてもよい。シール要素は、カラーの内面に対してシールを施してもよい。
【００１０】
本発明はまた、環状のカラーと、少なくとも３つのシール要素とを備え、シール要素のうちの任意の２つは、カラー内に配置可能なシール部材を形成するために組み合わせ可能である、上述の容器用のキャップを形成するためのキットを提供する。
【００１１】
好ましくは、キットにおいて、少なくとも１つのシール要素は貫通する開口を有さず、少なくとも１つのシール要素は貫通する１つの開口を有し、少なくとも１つのシール要素は貫通する複数の開口を有する。
【００１２】
本発明はまた、上記のような容器用のキャップを備え、各シール要素は２つの開口を含み、チューブは各開口を通ってはめ込まれる、チューブセットを提供する。
【００１３】
これは、必要に応じて気体または液体の供給に使用できる４本のチューブを備えたハイブリッドチューブセットを提供する。
【００１４】
特に、一実施形態では、第１および第２のチューブは、キャップが接続されている容器から医療器具に液体を供給するように適合される。第３のチューブは、キャップが接続された容器と医療器具との間で気体を通過させるように構成されてもよい。第４のチューブは、外部ソースからキャップが接続されている容器内に気体を供給するように構成されてもよい。
【図面の簡単な説明】
【００１５】
本発明は、添付の図面を参照して、例としてのみ詳細に説明される。
【図１】本発明の一実施形態によるキャップの構成要素の分解斜視図である。
【図２】第１の可能な構成の組み立てられたキャップを示す。
【図３】第２の可能な構成の組み立てられたキャップを示す。
【図４】第３の可能な構成の組み立てられたキャップを示す。
【図５】第４の可能な構成の組み立てられたキャップを示す。
【図６】図５のキャップの上面図を示す。
【図７】図５および図６のキャップのＡＡ線に沿った断面図を示す。
【図８】図５から図７のキャップを組み込んだチューブセットの正面図である。
【図９】図８のチューブセットの側面図である。
【図１０】ボトルに接続された図８および図９のチューブセットの一部の側面図である。
【発明を実施するための形態】
【００１６】
図１から７を参照し、本発明の一実施形態によるボトルキャップ１０は、カラー１２をモジュラシール１４とともに備える。３つの形態のシール要素１６，１８，２０が設けられ、一度に任意の２つの形態のシール要素を組み合わせてカラー１２内にはめ込むためのモジュラシール１４を形成し、組み立てられたキャップ１０を形成することができる。
【００１７】
カラー１２は、典型的にはプラスチックで形成され、開口した上端および下端２４，２６とともに、概して環状の側壁２２からなる。カラー１２は、長手方向軸Ｘ（図７に最もよく示されている）と、その軸に垂直な直径（図６に見られる切断線ＡＡに対応する）とを有する。環状のフランジ２８は、側壁２２から内側に延びて上端２４の開口を取り囲む。この例では、側壁２２は、ほぼ円筒形の下部３０と円錐台形の上部３２とを含む。特に円筒形の下部３０上の側壁２２の外側に、使用者がキャップ１０をボトルに取り付けるときにグリップを向上させるためのリブ３４または他の表面構成が形成されてもよい。特に円筒形の下部３０上の側壁２０の内部に、プラスチックの水ボトルの首のネジ山に係合するためのネジ山３６が形成される。ネジ山３６は、異なる寸法を有する多数の異なるボトルまたは容器の首に合うことができるように、好ましくは比較的大きなピッチおよび比較的深いネジ山で形成される。
【００１８】
各シール要素１６，１８，２０は、ほぼ半円筒形の形状のエラストマー材料のブロックを備える。任意の２つのシール要素を組み合わせて、カラー１２内に嵌合するほぼ円筒形のシール１４を形成することができる。したがって、各シール要素１６，１８，２０は、ほぼ半円筒形の側面３８と、平面４０ととを、ほぼ半円形の上面および下面４２，４４とともに有する。シール要素１６，１８，２０は、カラー１２内に嵌合するように成形され寸法決めされており、したがって、この例では、側面３８は、円錐台面の一部である上部と、半円筒形である下部とを有してもよい。
【００１９】
各シール要素の下面４４は、使用時にボトル首の上側リムを受ける半円形の凹部４６を含んでもよい。
【００２０】
各シール要素１６，１８，２０の上面４２は、隆起した半円形のプラトー（台地状部）４８を、その周りの弓形の表面５０とともに含む。
【００２１】
シール要素１６の１つの形態は、エラストマー材料の固形物として提供される。シール要素１８の第２の形態は、上から下に本体を貫通して延びる円筒形の開口５２を有して形成される。それは、隆起したプラトー４６のほぼ中央に配置されてもよい。シール要素２０の第３の形態は、シール要素を上から下に貫通して延びる２つの円筒形の開口５４，５６を有して形成されてもよい。好ましくは、１つの開口５４は、他の開口５６よりも小さい直径を有する。
【００２２】
開口５２，５４，５６は、以下でさらに説明するように、チューブセットのチューブを受けるように寸法決めされている。
【００２３】
使用時には、任意の２つのシール要素１６，１８，２０は、それらの平面４０が互いに接触して配置されることができ、ほぼ円筒形のシール部材１４を形成し、このシール部材は次にカラー１２内に受け入れられる。したがって、一組のシール要素は、カラー１２の長手方向軸に平行な平面内で互いに接触する。平面４０は、ほぼカラー１２の直径上にある。シール要素は、締まりばめ（tight fit）を形成し、互いに対しておよびカラー１２の内面に対して隙間なくシールするように、寸法決めされる（図７参照）。カラー１２上の環状のフランジ２８の下面は、シール要素の隆起したプラトー４６を取り囲む弓状の表面５０と接触する。シール要素の側面３８は、カラー１２の内面に対してシールし、特にシール要素の円錐台部分は、カラー１２の円錐台部分３２に対してシールする。組み合わされたカラー１２と選択された１組のシール要素は、したがってキャップ１０を形成し、キャップはボトルの首にはめ込まれることができる。
【００２４】
一緒にフィットするシール要素の面４０は、平坦な面として図示されている。しかし、各シール要素１６，１８，２０は、２つのシール要素を一緒に協働させて固定するための特徴を有して形成することができる。例えば、それぞれは面４０における突起および溝を含むことができ、その結果、キャップ１０を組み立てるために、組み合わされたシール１４をカラー１２にはめ込むことを容易にするために、２つのシール要素が一緒に固定できる。
【００２５】
図２に示すように、キャップ１０の１つの可能な構成は、シール要素１８および２０を含み、合計３つの開口がシール部材１４を通って設けられる。この構成は、単一の水ボトルを有するハイブリッドシステムで使用することができる。シール要素２０の小さい開口５４は、ＣＯ２のような気体をボトルに供給するチューブを受け入れてもよい。大きな開口５６は、外側チューブと、外側チューブの端部を越えて延びる内側チューブとからなる同軸チューブを受け入れる。長い内側チューブはボトル内の水中に延び、水は、レンズ洗浄の目的で、このチューブを内視鏡まで通ることができる。外側チューブの端部は水位より上にあり、従って送気のためにボトルの上部の気体を内視鏡に通すことができる。シール要素１８の開口５２は、ボトル内の水中に延びる別のチューブを受け、洗浄（irrigation）の目的で内視鏡に水を供給する。
【００２６】
図３は、２つの開口５４，５６を提供するシール要素１６および２０を使用する第２の可能な構成を示す。小さい開口５４は、気体をボトルに通すためのガス供給チューブを受ける。大きい開口５６は、ボトルから内視鏡に水と気体の両方を通すための上述の同軸チューブを受ける。
【００２７】
図４は、シール要素１６および１８を使用する第３の可能な構成を示す。これは、キャップ１０を通る単一の開口を提供する。これは、同軸の空気と水のチューブを受けてもよい。この場合、空気は外側チューブを介してボトルに入り、水は内側チューブを介してボトルから出る。
【００２８】
図５から図７は、２つのシール要素２０を使用するキャップ１０の第４の可能な構成を示し、したがってキャップ１０を貫通する４つの開口を提供する。
【００２９】
図８および９は、キャップ１０のこの第４の構成を組み込み、キャップ１０のシール１４を通って嵌め込まれた４本のチューブ６２，６８，７２，７４を有するチューブセット６０を示す。
【００３０】
図１０は、典型的な水ボトル５８に接続されたときのキャップ１０およびチューブの部分を示す。
【００３１】
この例では、第１のチューブ６２は、キャップ１０が接続されたボトルから内視鏡に水（または他の液体）を通して、観察中の部位を洗浄するために使用される洗浄チューブ６２を備える。洗浄チューブ６２の近位端６２ａは、キャップ１０が首に固定されたときにボトルの底面に接近するように、キャップ１０を貫通し、ボトル内に十分に延びるように寸法決めされる。洗浄チューブ６２の遠位端６２ｂは、洗浄チューブ６２を内視鏡に接続するためのコネクタ６４を含む。典型的には、コネクタ６４は、内視鏡からチューブ６２への液体の逆流を防止する一方向弁を含む。通常、洗浄チューブ６２は従来のクランプ６６を備える。これは開位置で図示されているが、閉位置では、これはチューブ６２を押しつぶして閉じ、それが内視鏡から外れたときに漏れを防止する。
【００３２】
第２のチューブ６８は、キャップ１０が接続されているボトルから内視鏡に水（または他の液体）を通してレンズを濯ぎ、視界が不明瞭にならないようにするために使用される濯ぎチューブ（rinsing tube）６８を含む。洗浄チューブ６２の場合と同様に、濯ぎチューブ６８は、使用時に底面に接近するようにボトル内に十分に延びる近位端６８ａを含む。遠位端６８ｂは、内視鏡への接続用のコネクタ７０を含む。以下で説明するように、コネクタ７０は、第３のチューブ７２の端部のコネクタと共通であってもよい。濯ぎチューブ６８は、それが内視鏡から外れたときに漏れを防止するためにチューブ６８を閉じるためのクランプ６６にはめ込まれてもよい。
【００３３】
第３のチューブは、キャップ１０が接続されるボトルから内視鏡に空気（または他の気体）を供給するために使用されるガスチューブ７２（一般にエアチューブとも称される）である。近位端７２ａは、キャップ１０内のシール１４のすぐ下で終端し、それにより、それは容器内の水のレベルより十分に高い。遠位端７２ｂは、内視鏡への接続用のコネクタを含み、上述したように、図８および図９に示すように、これは濯ぎチューブ６８用のコネクタ７０と結合されてもよい。
【００３４】
第４のチューブ７４は、例えば、ボトルにＣＯ２を供給するためのガス供給チューブである。近位端７４ａは、シール１４のすぐ下で、かつ、容器内の任意の水のレベルよりも十分に上で終端する。遠位端７４ｂは、外部のガス供給源への接続用の、チェックバルブを含むコネクタ７６を有する。
【００３５】
使用時には、チューブセット６０は、キャップ１０をボトルの首の上にねじ込むことにより、ボトルまたは他の容器に接続される。洗浄チューブおよび濯ぎチューブ６２，６８は、ボトル内の液体の中に延びる。外部のガス供給が使用される場合、気体はボトルの中に通されて水の上の空間を満たす。気体はボトルを加圧し、洗浄チューブおよび濯ぎチューブ６２，６８を通る水の流れを助ける。気体はまた、送気のために、ボトルからガスチューブ７２を通って内視鏡に通されてもよい。
【００３６】
チューブセット６０は、外部ガスの供給なしで使用することもできる。この場合、ガス供給チューブ７４は使用されず、その遠位端７４ｂのコネクタ内のチェックバルブによって閉じられる。この場合、圧縮空気（または他の気体）は、通常、別個に内視鏡に供給され、内視鏡は、ユーザによって押されたとき、空気を内視鏡用の別個の供給源からガスチューブ７２を介してボトルに戻す制御ボタンを含む。このことはボトルを加圧し、水を濯ぎチューブ６８に通す。
【００３７】
このようにして、チューブセット６０は、単一の水ボトルと共に使用されることができ、洗浄液および濯ぎ液の両方を内視鏡に供給するハイブリッドシステムを提供し、それは、送気のための外部供給源からのガス供給と共に使用されることができ、または、別の方法で内視鏡に供給される空気を利用するために使用されることができる。
【００３８】
上記のキャップおよびチューブセットの構成は、最も一般的な組合せである可能性が高いが、他の構成も可能であることが理解されよう。例えば、キャップ１０において、水ボトルを閉鎖し、内部に残っている水の漏れを防止することが単に望まれる場合には、２つの固体シール要素１６を設けることができる。あるいは、同じ直径の２つの開口を提供する２つのシール要素１８を設けることができる。したがって、必要とされるチューブの数に適するように、異なるシール要素の任意の組み合わせを所望に応じて提供することができる。
【００３９】
本発明によるキャップ１０は、ユーザが必要とされる適切な構成を選択できるように、キットの形態で提供することができる。例えば、キットは、図１に示される全ての構成要素、すなわち、シール要素１６，１８，２０を１つずつと、１つのカラー１２から構成されてもよい。あるいは、さらなる組み合わせに適応するために、複数の異なるシール要素を提供することができる。
【００４０】
このようにして、病院は、所望の用途に適合するためのボトルキャップ１０の異なる構成用のオプションを提供する１つのタイプのキットをストックするだけでよい。ユーザは、適切なシール要素を選択して所望のボトルキャップを形成することができ、これにより、処置において２つの別個の水ボトルの必要性を軽減する。
【００４１】
同様に、病院は、上述したような組み立てられたハイブリッドチューブセット６０をストックしてもよく、これは、４本のチューブのすべてを使用するか、または、クランプ６６によって、もしくは、関連するコネクタのチェックバルブによって閉じられた未使用のチューブとともに、必要に応じて使用することができる。
【００４２】
キャップ１０およびチューブセット６０の構成要素は、１回の使用で廃棄するために設計された単純なプラスチック成形品であってもよいし、または、再利用のために適切に洗浄および滅菌できる材料で形成されてもよい。
【図１】
2019512358.tif 000003
【図２】
2019512358.tif 000004
【図３】
2019512358.tif 000005
【図４】
2019512358.tif 000006
【図５】
2019512358.tif 000007
【図６】
2019512358.tif 000008
【図７】
2019512358.tif 000009
【図８】
2019512358.tif 000010
【図９】
2019512358.tif 000011
【図１０】
2019512358.tif 000012
【国際調査報告】
2019512358.tif 000013
2019512358.tif 000014